(57)【特許請求の範囲】
【請求項１】
吹出口（１５）から吹き出される吹出空気の流れをコアンダ効果により所定の方向へ誘導可能な空調室内機であって、
前記吹出空気の方向を上下に調整する水平羽根（３１）と、
前記吹出口（１５）の近傍に設けられ、前記水平羽根（３１）で方向調整された前記吹出空気を自己の下面（３２ａ）に沿わせたコアンダ気流にするコアンダ羽根（３２）と、
を備え、
前記コアンダ羽根（３２）の前記下面（３２ａ）と、前記下面（３２ａ）に対向する前記水平羽根（３１）の対向面（３１ｂ）との相対角度が、前記コアンダ羽根（３２）の中央部よりも端部の方が小さい、
空調室内機（１０）。
【請求項２】
前記下面（３２ａ）と前記対向面（３１ｂ）との相対角度が、前記コアンダ羽根（３２）の中央部と端部とで異なる、
請求項１に記載の空調室内機（１０）。
【請求項３】
前記下面（３２ａ）では、中央部よりも端部の方が前記対向面（３１ｂ）に近い、
請求項１又は請求項２に記載の空調室内機（１０）。
【請求項４】
前記対向面（３１ｂ）では、中央部よりも端部の方が前記下面（３２ａ）に近い、
請求項１から請求項３のいずれか１項に記載の空調室内機（１０）。
【請求項５】
前記吹出口（１５）は、空調運転停止時に前記水平羽根（３１）によって閉じられ、
前記水平羽根（３１）の前記対向面（３１ｂ）と反対側の面は、平面、又は前記吹出空気の上流側から下流側に向って湾曲する湾曲面である、
請求項４に記載の空調室内機（１０）。
【請求項６】
前記下面（３２ａ）の前記中央部と前記端部との境界域は、前記吹出口（１５）の両端の間に位置する、
請求項３に記載の空調室内機（１０）。
【請求項７】
前記対向面（３１ｂ）の前記中央部と前記端部との境界域は、前記吹出口（１５）の両端の間に位置する、
請求項４に記載の空調室内機（１０）。
【発明の詳細な説明】
【技術分野】
【０００１】
本発明は、空調室内機に関する。
【背景技術】
【０００２】
従来、上下に回動する風向調整羽根を用いて吹出空気の方向を制御する空調室内機に関する研究が広くなされている。例えば、特許文献１（特開２００２−６１９３８号公報）に記載の空調室内機では、上下風向板によって偏向された吹出空気を、前方傾斜部に沿った気流、いわゆるコアンダ気流にして天井へ導き、天井面に沿って遠方へ到達させることができる。
【発明の概要】
【発明が解決しようとする課題】
【０００３】
しかしながら、上記文献では、コアンダ気流を前方傾斜部から剥離させないための手段については言及されているものの、安定したコアンダ気流を発生させる手段については説明されていない。
【０００４】
本発明の課題は、安定したコアンダ気流を発生させる手段を備えた空調室内機を提供することにある。
【課題を解決するための手段】
【０００５】
本発明の第１観点に係る空調室内機は、吹出口から吹き出される吹出空気の流れをコアンダ効果により所定の方向へ誘導可能な空調室内機であって、水平羽根と、コアンダ羽根とを備えている。水平羽根は、吹出空気の方向を上下に調整する。コアンダ羽根は、吹出口の近傍に設けられ、水平羽根で方向調整された吹出空気を自己の下面に沿わせたコアンダ気流にする。コアンダ羽根の下面と、下面に対向する水平羽根の対向面との相対角度は、コアンダ羽根の中央部よりも端部の方が小さい。
【０００６】
コアンダ気流の動圧によってコアンダ羽根の側方の空気がコアンダ羽根の両端からコアンダ気流に引き込まれる。そのとき、コアンダ羽根の両端部に沿う気流は、側方からの空気に押されて中央部寄りの気流になり易い。
【０００７】
しかし、この空調室内機では、コアンダ羽根の下面と、下面に対向する水平羽根の対向面との相対位置を、コアンダ羽根の中央部よりも端部の方が小さくなるようにすることによって、コアンダ羽根の中央部よりも先に両端部にコアンダ気流を生じさせることができ、側方からの空気に押されても中央部寄りの気流になり難い安定したコアンダ気流となる。
【０００８】
本発明の第２観点に係る空調室内機は、第１観点に係る空調室内機であって、コアンダ羽根の下面とその下面に対向する水平羽根の対向面との相対角度が、コアンダ羽根の中央部と端部とで異なる。この空調室内機では、コアンダ羽根の下面と、下面に対向する水平羽根の対向面との相対位置を、コアンダ羽根の中央部と端部とで異ならせることによって、コアンダ羽根の中央部よりも先に両端部にコアンダ気流を生じさせることができ、側方からの空気に押されても中央部寄りの気流になり難い安定したコアンダ気流となる。
【０００９】
本発明の第３観点に係る空調室内機は、第１観点又は第２観点に係る空調室内機であって、コアンダ羽根の下面では中央部よりも端部の方が水平羽根の対向面に近い。
【００１０】
この空調室内機では、コアンダ羽根の下面と水平羽根の対向面との相対角度が端部で小さくなることによって、コアンダ羽根の中央部よりも先に両端部にコアンダ気流を生じさせることができ、側方からの空気に押されても中央部寄りの気流になり難い安定したコアンダ気流となる。
【００１１】
本発明の第４観点に係る空調室内機は、第１観点から第３観点のいずれか１つに係る空調室内機であって、水平羽根の対向面では、中央部よりも端部の方がコアンダ羽根の下面に近い。
【００１２】
この空調室内機では、コアンダ羽根の下面と水平羽根の対向面との相対角度が端部で小さくなることによって、コアンダ羽根の中央部よりも先に両端部にコアンダ気流を生じさせることができ、側方からの空気に押されても中央部寄りの気流になり難い安定したコアンダ気流となる。
【００１３】
本発明の第５観点に係る空調室内機は、第４観点に係る空調室内機であって、吹出口が、空調運転停止時に水平羽根によって閉じられている。水平羽根の対向面と反対側の面は、平面、又は吹出空気の上流側から下流側に向って湾曲する湾曲面である。
【００１４】
この空調室内機では、水平羽根が吹出口を閉じているときに人目に触れる面が、平面または一様な湾曲面であるので、見栄えがよい。
【００１５】
本発明の第６観点に係る空調室内機は、第３観点に係る空調室内機であって、コアンダ羽根の下面の中央部と端部との境界域が、吹出口の両端の間に位置する。
【００１６】
この空調室内機では、水平羽根の対向面で風向調整された吹出空気が、確実にコアンダ羽根の下面の中央部、および中央部と両端部との境界域を通る。それゆえ、コアンダ羽根の中央部よりも先に両端部側でコアンダ気流を生じさせることができ、中央部寄りの気流になり難い安定したコアンダ気流となる。
【００１７】
本発明の第７観点に係る空調室内機は、第４観点に係る空調室内機であって、水平羽根の対向面の中央部と端部との境界域が、吹出口の両端の間に位置する。
【００１８】
この空調室内機では、水平羽根の対向面の中央部、及び中央部と両端部との境界域を通る吹出空気が、コアンダ羽根の下面の中央部よりも先に両端部側でコアンダ気流が生じるように風向調整される。その結果、中央部寄りの気流になり難い安定したコアンダ気流が生じる。
【発明の効果】
【００１９】
本発明の第１観点に係る空調室内機では、コアンダ羽根の下面と、下面に対向する水平羽根の対向面との相対角度を、コアンダ羽根の中央部よりも端部の方が小さくなるようにすることによって、コアンダ羽根の中央部よりも先に両端部にコアンダ気流を生じさせることができ、側方からの空気に押されても中央部寄りの気流になり難い安定したコアンダ気流となる。
【００２０】
本発明の第２観点に係る空調室内機では、コアンダ羽根の下面と、下面に対向する水平羽根の対向面との相対位置を、コアンダ羽根の中央部と端部とで異ならせることによって、コアンダ羽根の中央部よりも先に両端部にコアンダ気流を生じさせることができ、側方からの空気に押されても中央部寄りの気流になり難い安定したコアンダ気流となる。
【００２１】
本発明の第３観点又は第４観点に係る空調室内機では、コアンダ羽根の下面と水平羽根の対向面との相対角度が端部で小さくなることによって、コアンダ羽根の中央部よりも先に両端部にコアンダ気流を生じさせることができ、側方からの空気に押されても中央部寄りの気流になり難い安定したコアンダ気流となる。
【００２２】
本発明の第５観点に係る空調室内機では、水平羽根が吹出口を閉じているときに人目に触れる面が、平面または一様な湾曲面であるので、見栄えがよい。
【００２３】
本発明の第６観点に係る空調室内機では、水平羽根の対向面で風向調整された吹出空気が、確実にコアンダ羽根の下面の中央部、および中央部と両端部との境界域を通る。それゆえ、コアンダ羽根の中央部よりも先に両端部側にコアンダ気流を生じさせることができ、中央部寄りの気流になり難い安定したコアンダ気流となる。
【００２４】
本発明の第７観点に係る空調室内機では、水平羽根の対向面の中央部、及び中央部と両端部との境界域を通る吹出空気が、コアンダ羽根の下面の中央部よりも先に両端部側でコアンダ気流が生じるように風向調整される。その結果、中央部寄りの気流になり難い安定したコアンダ気流が生じる。
【図面の簡単な説明】
【００２５】
【図１】本発明の一実施形態に係る運転停止時の空調室内機の断面図。
【図２Ａ】運転時の空調室内機の断面斜視図。
【図２Ｂ】空調室内機の吹出口周辺の断面斜視図。
【図２Ｃ】空調室内機のコアンダ羽根を含む吹出口周辺の断面斜視図。
【図３Ａ】吹出空気が通常前吹き時の風向調整羽根およびコアンダ羽根の側面図。
【図３Ｂ】吹出空気が通常前方下吹き時の風向調整羽根およびコアンダ羽根の側面図。
【図３Ｃ】コアンダ気流前方吹き時の風向調整羽根およびコアンダ羽根の側面図。
【図３Ｄ】コアンダ気流天井吹き時の風向調整羽根およびコアンダ羽根の側面図。
【図３Ｅ】下吹き時の風向調整羽根およびコアンダ羽根の側面図。
【図４Ａ】吹出空気の方向およびコアンダ気流の方向を示す概念図。
【図４Ｂ】風向調整羽根とコアンダ羽根との開き角度の一例を表す概念図。
【図５Ａ】コアンダ気流前方吹き時のスクロールの終端Ｆの接線とコアンダ羽根とが成す内角と、スクロールの終端Ｆの接線と風向調整羽根とが成す内角との比較図。
【図５Ｂ】コアンダ気流天井吹き時のスクロールの終端Ｆの接線とコアンダ羽根とが成す内角と、スクロールの終端Ｆの接線と風向調整羽根とが成す内角との比較図。
【図６Ａ】コアンダ羽根が第１姿勢をとるときのコアンダ気流の風向を示す空調室内機設置空間の側面図。
【図６Ｂ】コアンダ羽根が第２姿勢をとるときのコアンダ気流の風向を示す空調室内機設置空間の側面図。
【図６Ｃ】コアンダ羽根が第４姿勢をとるときのコアンダ気流の風向を示す空調室内機設置空間の側面図。
【図７Ａ】制御部とリモコンとの関係を示すブロック図。
【図７Ｂ】「コアンダ風向設定」メニューの下位メニューを表した表示部の正面図。
【図８Ａ】コアンダ羽根が第３姿勢のときの風向調整羽根とコアンダ羽根の側面図。
【図８Ｂ】コアンダ羽根が第５姿勢のときの風向調整羽根とコアンダ羽根の側面図。
【図９Ａ】外側面の両端部が隆起していないコアンダ羽根の斜視図。
【図９Ｂ】外側面の両端部が隆起しているコアンダ羽根の斜視図。
【図１０Ａ】中央寄りのコアンダ気流が循環している状態を描いた部屋の斜視図。
【図１０Ｂ】安定したコアンダ気流が循環している状態を描いた部屋の斜視図。
【図１１】コアンダ羽根の外側面の第１外側湾曲面および第２外側湾曲面それぞれと風向調整羽根の内側面との相対角度の一例を表す概念図。
【図１２】外側面の両端部が隆起している風向調整羽根の斜視図。
【図１３】風向調整羽根の内側面の第１内側湾曲面および第２内側湾曲面それぞれとコアンダ羽根の外側面との相対角度の一例を表す概念図。
【発明を実施するための形態】
【００２６】
以下、図面を参照しながら、本発明の実施形態について説明する。なお、以下の実施形態は、本発明の具体例であって、本発明の技術的範囲を限定するものではない。
【００２７】
（１）空調室内機１０の構成
図１は、本発明の一実施形態に係る運転停止時の空調室内機１０の断面図である。また、図２Ａは、運転時の空調室内機１０の断面斜視図である。図１及び図２Ａにおいて、空調室内機１０は壁掛けタイプであり、本体ケーシング１１、室内熱交換器１３、室内ファン１４、底フレーム１６、及び制御部４０が搭載されている。
【００２８】
本体ケーシング１１は、天面部１１ａ、前面パネル１１ｂ、背面板１１ｃ及び下部水平板１１ｄを有し、内部に室内熱交換器１３、室内ファン１４、底フレーム１６、及び制御部４０を収納している。
【００２９】
天面部１１ａは、本体ケーシング１１の上部に位置し、天面部１１ａの前部には、吸込口（図示せず）が設けられている。
【００３０】
前面パネル１１ｂは本体ケーシング１１の前面部を構成しており、吸込口がないフラットな形状を成している。また、前面パネル１１ｂは、その上端が天面部１１ａに回動自在に支持され、ヒンジ式に動作することができる。
【００３１】
室内熱交換器１３及び室内ファン１４は、底フレーム１６に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、クロスフローファンであり、室内から取り込んだ空気を、室内熱交換器１３に当てて通過させた後、室内に吹き出す。
【００３２】
本体ケーシング１１の下部には、吹出口１５が設けられている。吹出口１５には、吹出口１５から吹き出される吹出空気の方向を変更する風向調整羽根３１が回動自在に取り付けられている。風向調整羽根３１は、モータ（図示せず）によって駆動され、吹出空気の方向を変更するだけでなく、吹出口１５を開閉することもできる。風向調整羽根３１は、傾斜角が異なる複数の姿勢をとることが可能である。
【００３３】
また、吹出口１５の近傍にはコアンダ羽根３２が設けられている。コアンダ羽根３２は、モータ（図示せず）によって駆動され前後方向に傾斜した姿勢をとることが可能であり、運転停止時に前面パネル１１ｂに設けられた収容部１３０に収容される。コアンダ羽根３２は、傾斜角が異なる複数の姿勢をとることが可能である。
【００３４】
また、吹出口１５は、吹出流路１８によって本体ケーシング１１の内部と繋がっている。吹出流路１８は、吹出口１５から底フレーム１６のスクロール１７に沿って形成されている。
【００３５】
室内空気は、室内ファン１４の稼動によって吸込口、室内熱交換器１３を経て室内ファン１４に吸い込まれ、室内ファン１４から吹出流路１８を経て吹出口１５から吹き出される。
【００３６】
制御部４０は、本体ケーシング１１を前面パネル１１ｂから視て室内熱交換器１３及び室内ファン１４の右側方に位置しており、室内ファン１４の回転数制御、風向調整羽根３１及びコアンダ羽根３２の動作制御を行う。
【００３７】
また、天面部１１ａと室内熱交換器１３との間にはフィルタ清掃装置７０が配置されており、フィルタに付着した塵埃を自動で除去することができる。
【００３８】
（２）詳細構成
（２−１）前面パネル１１ｂ
図１に示すように、前面パネル１１ｂは本体ケーシング１１の上部前方からなだらかな円弧曲面を描きながら下部水平板１１ｄの前方エッジに向かって延びている。前面パネル１１ｂの下部に本体ケーシング１１の内側に向かって窪んだ領域がある。この領域の窪み深さはコアンダ羽根３２の厚み寸法に合うように設定されており、コアンダ羽根３２が収容される収容部１３０を成している。収容部１３０の表面もなだらかな円弧曲面である。
【００３９】
（２−２）吹出口１５
図１及び図２Ａに示すように、吹出口１５は、本体ケーシング１１の下部に設けられており、横方向（図１紙面と直交する方向）を長辺とする長方形の開口である。吹出口１５の下端は下部水平板１１ｄの前方エッジに近接しており、吹出口１５の下端と上端とを結ぶ仮想面は前方上向きに傾斜している。
【００４０】
図２Ｂは、空調室内機１０の吹出口１５周辺の断面斜視図である。また、図２Ｃは、空調室内機１０のコアンダ羽根３２を含む吹出口１５周辺の断面斜視図である。図２Ｂにおいて、吹出口１５は、形成壁１１５によって形成されている。形成壁１１５は、上壁１１１、下壁１１２、及び左右の側壁１１３，１１４で構成されている。そして、図２Ｃにおいて、コアンダ羽根３２の後端３２２と、形成壁１１５の上壁１１１との間に隙間Ｃが形成されている。
【００４１】
（２−３）スクロール１７
スクロール１７は、室内ファン１４に対峙するように湾曲した隔壁であり、底フレーム１６の一部である。スクロール１７の終端Ｆは、吹出口１５の周縁近傍まで到達している。吹出流路１８を通る空気は、スクロール１７に沿って進み、スクロール１７の終端Ｆの接線方向に送られる。したがって、吹出口１５に風向調整羽根３１がなければ、吹出口１５から吹き出される吹出空気の風向は、スクロール１７の終端Ｆの接線Ｌ０に概ね沿った方向である。
【００４２】
（２−４）垂直風向調整板２０
垂直風向調整板２０は、図１及び図２Ａに示すように、複数の羽根片２０１と、複数の羽根片２０１を連結する連結棒２０３を有している。また、垂直風向調整板２０は、吹出流路１８において、風向調整羽根３１よりも室内ファン１４近傍に配置されている。
【００４３】
複数枚の羽根片２０１は、連結棒２０３が吹出口１５の長手方向に沿って水平往復移動することによって、その長手方向に対して垂直な状態を中心に左右に揺動する。なお、連結棒２０３は、モータ（図示せず）によって水平往復移動する。
【００４４】
（２−５）風向調整羽根３１
風向調整羽根３１は、図１及び図２Ａに示すように、円弧状の部材である。風向調整羽根３１は、凸状の外側湾曲面を含む外側面３１ａと、凹状の内側湾曲面を含む内側面３１ｂを有している。
【００４５】
風向調整羽根３１は、吹出口１５を塞ぐことができる程度の面積を有している。風向調整羽根３１が吹出口１５を閉じた状態において、その外側面３１ａは前面パネル１１ｂの曲面の延長上にあるような外側に凸のなだらかな円弧曲面に仕上げられている。また、風向調整羽根３１の内側面３１ｂ（図２Ａ参照）も、外面にほぼ平行な円弧曲面を成している。
【００４６】
風向調整羽根３１は、下端部に回動軸３１１を有している。回動軸３１１は、吹出口１５の下端近傍で、本体ケーシング１１に固定されているステッピングモータ（図示せず）の回転軸に連結されている。
【００４７】
回動軸３１１が図１正面視反時計方向に回動することによって、風向調整羽根３１の上端が吹出口１５の上壁１１１側から遠ざかるように動作して吹出口１５を開ける。逆に、回動軸３１１が図１正面視時計方向に回動することによって、風向調整羽根３１の上端が吹出口１５の上壁１１１側へ近づくように動作して吹出口１５を閉じる。
【００４８】
風向調整羽根３１が吹出口１５を開けている状態において、吹出口１５から吹き出された吹出空気は、風向調整羽根３１の内側面３１ｂに概ね沿って流れる。すなわち、スクロール１７の終端Ｆの接線方向に概ね沿って吹き出された吹出空気は、その風向が風向調整羽根３１によってやや上向きに変更される。
【００４９】
（２−６）コアンダ羽根３２
コアンダ羽根３２は、図１及び図２Ａに示すように、断面形状が円弧状の部材である。コアンダ羽根３２は、凸状の外側湾曲面を含む外側面３２ａと、凹状の内側湾曲面を含む内側面３２ｂを有している。
【００５０】
また、外側面３２ａの長手方向の端部は隆起しており、その隆起は後部から前部に向って徐々に高くなっている。図２Ａには記載されていないコアンダ羽根３２の端部にも同様に外側に隆起している。
【００５１】
それゆえ、外側面３２ａは、隆起した部分に挟まれた湾曲面と、隆起した部分の湾曲面とを有しており、前者を第１外側湾曲面３２ａａとよび、後者を第２外側湾曲面３２ａｂとよぶ。
【００５２】
他方、内側面３２ｂは、外側面３２ａとは逆に、長手方向の端部は後部から前部に向って徐々に深くなるように窪んでいる。それゆえ、内側面３２ｂは、窪んだ部分に挟まれた湾曲面と、窪んだ部分の湾曲面とを有しており、前者を第１内側湾曲面３２ｂｂとよび、後者を第２外側湾曲面３２ｂａとよぶ。
【００５３】
コアンダ羽根３２は、空調運転が停止している間や後述する通常吹出モードでの運転では収容部１３０に収納されている。コアンダ羽根３２は回動することによって収容部１３０から離れる。コアンダ羽根３２の回動軸３２１は、収容部１３０の下端近傍で且つ本体ケーシング１１の内側の位置（吹出流路１８上壁の上方の位置）に設けられており、コアンダ羽根３２の下端部と回動軸３２１とは所定の間隔を保って連結されている。それゆえ、回動軸３２１が回動してコアンダ羽根３２が収容部１３０から離れるほど、コアンダ羽根３２の下端の高さ位置は低くなるように回転する。また、コアンダ羽根３２が回転して開いたときの傾斜は本体ケーシング１１の前面部の傾斜よりも緩やかである。
【００５４】
本実施形態では、収容部１３０は、送風路の外に設けられており、収容時にコアンダ羽根３２の全体が送風路の外側に収容される。かかる構造に代えて、コアンダ羽根３２の一部のみが送風路の外側に収容され、残りが送風路内（たとえば、送風経路の上壁部）に収容されるようにしてもよい。
【００５５】
また、回動軸３２１が図１正面視反時計方向に回動することによって、コアンダ羽根３２の上端および下端ともに円弧を描きながら収容部１３０から離れるが、そのとき、コアンダ羽根３２の上端と吹出口１５より上方の収容部１３０との最短距離は、下端と収容部１３０との最短距離より大きい。すなわち、コアンダ羽根３２は前方に行くにしたがって前記室内機前面部から離れるような姿勢に制御される。そして、回動軸３２１が図１正面視時計方向に回動することによって、コアンダ羽根３２は収容部１３０に近づき、最終的に収容部１３０に収容される。コアンダ羽根３２の運転状態の姿勢としては、収容部１３０に収納された状態、回転して前方上向きに傾斜した姿勢、さらに回転してほぼ水平な姿勢、さらに回転して前方下向きに傾斜した姿勢がある。
【００５６】
コアンダ羽根３２が収容部１３０に収容された状態で、コアンダ羽根３２の外側面３２ａの第１外側湾曲面３２ａａは前面パネル１１ｂのなだらかな円弧曲面の延長上にあるような外側に凸のなだらかな円弧曲面に仕上げられている。また、コアンダ羽根３２の内側面３２ｂの内側湾曲面３２ｂｂは、収容部１３０の表面に沿うような円弧曲面に仕上げられている。
【００５７】
また、コアンダ羽根３２の長手方向の寸法は、風向調整羽根３１の長手方向の寸法以上となるように設定されている。この理由は風向調整羽根３１で風向調節された吹出空気すべてをコアンダ羽根３２で受けるためであり、その目的はコアンダ羽根３２の側方からの吹出空気がショートサーキットすることを防止することである。
【００５８】
（２−７）フィルタ清掃装置７０
フィルタ清掃装置７０は、少なくともフィルタ７１と、フィルタ駆動ローラー７３と、ブラシ７５と、ダストボックス７７とを含んでいる。フィルタ７１は、フィルタ駆動ローラー７３の回転によって、所定の環状軌道に沿って周回することができる。ブラシ７５は、フィルタ清掃用のブラシであり、フィルタ７１に付着した塵埃を掻き落すため、フィルタ７１を挟んでフィルタ駆動ローラー７３と対向している。ダストボックス７７は、ブラシ７５がフィルタ７１から掻き落した塵埃を溜める。
【００５９】
制御部４０は、空調室内機１０の運転時間をカウントしており、前回のフィルタ清掃運転からの累積運転時間が所定時間（例えば、１８時間）に到達したとき、ブラシ７５を回転させながら、フィルタ７１を所定回数（例えば、１回）だけ周回させる。
【００６０】
その間、ブラシ７５とフィルタ７１とが相対移動するので、ブラシ７５の毛材がフィルタ７１の網目に入り込んで、その網目につまった塵埃を掻き出す。その塵埃は、ブラシ７５が配置されているダストボックス７７内に溜まる。
【００６１】
（３）吹出空気の方向制御
本実施形態の空調室内機は、吹出空気の方向を制御する手段として、風向調整羽根３１のみを回動させて吹出空気の方向を調整する通常吹出モードと、風向調整羽根３１及びコアンダ羽根３２を回動させてコアンダ効果によって吹出空気をコアンダ羽根３２の外側面３２ａに沿わせたコアンダ気流にするコアンダ効果利用モードと、風向調整羽根３１及びコアンダ羽根３２それぞれの先端を前方下向きにして吹出空気を下方に導く下吹きモードを有している。
【００６２】
風向調整羽根３１及びコアンダ羽根３２は、上記各モードにおいて空気の吹出方向ごとに姿勢が変化するので、各姿勢について図３Ａ〜図３Ｅを参照しながら説明する。なお、吹出方向の選択は、ユーザーがリモコン等を介して行なうことができるものとする。また、モードの変更や吹出方向は自動的に変更されるように制御することも可能である。
【００６３】
（３−１）通常吹出モード
通常吹出モードは、風向調整羽根３１のみを回動させて吹出空気の方向を調整するモードであり、「通常前吹き」と「通常前方下吹き」とを含む。
【００６４】
（３−１−１）通常前吹き
図３Ａは、吹出空気が通常前吹き時の風向調整羽根３１及びコアンダ羽根３２の側面図である。図３Ａにおいて、ユーザーが「通常前吹き」を選択したとき、制御部４０は風向調整羽根３１の内側面３１ｂが略水平になる位置まで風向調整羽根３１を回動させる。なお、本願実施形態のように風向調整羽根３１の内側面３１ｂが円弧曲面をなしている場合は、内側湾曲面３１ｂｂの前方端Ｅ１における接線Ｌ１が略水平になるまで風向調整羽根３１を回動させる。その結果、吹出空気は、前吹き状態となる。
【００６５】
（３−１−２）通常前方下吹き
図３Ｂは、吹出空気が通常前方下吹き時の風向調整羽根３１及びコアンダ羽根３２の側面図である。図３Ｂにおいて、ユーザーは吹出方向を「通常前吹き」よりも下方に向けたいとき、「通常前方下吹き」を選択すればよい。
【００６６】
このとき、制御部４０は、風向調整羽根３１の内側湾曲面３１ｂｂの前方端Ｅ１における接線Ｌ１が水平よりも前下がりになるまで風向調整羽根３１を回動させる。その結果、吹出空気は、前方下吹き状態となる。
【００６７】
（３−２）コアンダ効果利用モード
コアンダ（効果）とは、気体や液体の流れのそばに壁があると、流れの方向と壁の方向とが異なっていても、壁面に沿った方向に流れようとする現象である（朝倉書店「法則の辞典」）。コアンダ利用モードは、このコアンダ効果を利用した「コアンダ気流前方吹き」および「コアンダ気流天井吹き」を含む。
【００６８】
また、吹出空気の方向およびコアンダ気流の方向については、基準位置の取り方次第で定義の方法が異なるので、以下に一例を示す。但し、それに限定されるものではない。図４Ａは、吹出空気の方向およびコアンダ気流の方向を示す概念図である。図４Ａにおいて、コアンダ羽根３２の外側面３２ａ側にコアンダ効果を生じさせるには、風向調整羽根３１によって変更された吹出空気の方向（Ｄ１）の傾斜がコアンダ羽根３２の姿勢（傾斜）に近くなる必要がある。両者が離れすぎているとコアンダ効果が生じない。そのため、本コアンダ効果利用モードでは、コアンダ羽根３２と風向調整羽根３１とが所定の開き角度以下になる必要があり、両羽根３１，３２がその範囲内を成すようにして、上記の関係が成立するようにしている。これにより、図４Ａに示すように、吹出空気の風向が風向調整羽根３１によってＤ１に変更された後、さらにコアンダ効果によりＤ２に変更される。
【００６９】
また、本実施形態のコアンダ効果利用モードでは、コアンダ羽根３２が風向調整羽根３１の前方（吹出の下流側）かつ上方の位置あるのが好ましい。
【００７０】
また、風向調整羽根３１とコアンダ羽根３２との開き角度についても、基準位置の取り方次第で定義の方法が異なるので、以下に一例を示す。但し、それに限定されるものではない。図４Ｂは、風向調整羽根３１とコアンダ羽根３２との開き角度の一例を表す概念図である。図４Ｂにおいて、風向調整羽根３１の内側面３１ｂの最遠点同士（ここでは、前後端）を結ぶ直線と水平線との角度を風向調整羽根３１の傾斜角θ１とし、コアンダ羽根３２の外側面３２ａの最遠点同士（ここでは、前後端）を結ぶ直線と水平線との角度をコアンダ羽根３２の傾斜角θ２としたとき、風向調整羽根３１とコアンダ羽根３２との開き角度θ＝θ２−θ１である。なお、θ１及びθ２は絶対値ではなく、図４Ｂ正面視において水平線よりも下方となる場合は負の値である。
【００７１】
「コアンダ気流前方吹き」および「コアンダ気流天井吹き」ともに、風向調整羽根３１およびコアンダ羽根３２は、スクロール１７の終端Ｆの接線とコアンダ羽根３２とが成す内角（図５Ａ及び図５Ｂ参照）が、スクロール１７の終端Ｆの接線と風向調整羽根３１とが成す内角よりも大きい、という条件を満たす姿勢をとるのが好ましい。
【００７２】
図５Ａは、コアンダ気流前方吹き時のスクロール１７の終端Ｆの接線Ｌ０とコアンダ羽根３２の外側湾曲面３２ａａの前方端Ｅ２における接線Ｌ２とが成す内角Ｒ２と、スクロール１７の終端Ｆの接線Ｌ０と風向調整羽根３１の内側湾曲面３１ｂｂの前方端Ｅ１における接線Ｌ１とが成す内角Ｒ１との比較図である。また、図５Ｂは、コアンダ気流天井吹き時のスクロール１７の終端Ｆの接線Ｌ０とコアンダ羽根３２の外側湾曲面３２ａａの前方端Ｅ２における接線Ｌ２とが成す内角Ｒ２と、スクロール１７の終端Ｆの接線Ｌ０と風向調整羽根３１の内側湾曲面３１ｂｂの前方端Ｅ１における接線Ｌ１とが成す内角Ｒ１との比較図である。
【００７３】
また、図５Ａに示すように、コアンダ効果利用モードにおけるコアンダ羽根３２では、コアンダ羽根３２の外側湾曲面３２ａａの前方端Ｅ２における接線Ｌ２がほぼ水平で、コアンダ羽根３２の前端および後端が吹出口１５の形成壁１１５の上壁１１１よりも下方に位置するとき、コアンダ羽根３２の後端と吹出口１５の形成壁１１５の上壁１１１との隙間が小さいので、コアンダ羽根３２の内側面３２ｂ上を通過する気流の量は少なく、コアンダ気流の水平方向への誘導が阻害される可能性は小さい。
【００７４】
また、図５Ｂに示すように、コアンダ効果利用モードにおけるコアンダ羽根３２では、コアンダ羽根３２の外側湾曲面３２ａａの前方端Ｅ２における接線Ｌ２が水平より前方上向で、吹出口１５よりも外側上方に位置する。その結果、コアンダ気流はより遠方に到達する上に、コアンダ羽根３２の内側面３２ｂ上を通過する強い気流の発生は抑制され、コアンダ気流の上方への誘導が阻害されにくい。
【００７５】
また、コアンダ羽根３２の後端部の高さ位置は運転停止時よりも低くなっているので、上流側でのコアンダ効果によるコアンダ気流が生成し易い。
【００７６】
（３−２−１）コアンダ気流前方吹き
図３Ｃは、コアンダ気流前方吹き時の風向調整羽根３１及びコアンダ羽根３２の側面図である。図３Ｃにおいて、「コアンダ気流前方吹き」が選択されたとき、制御部４０は、風向調整羽根３１の内側湾曲面３１ｂｂの前方端Ｅ１における接線Ｌ１が水平よりも前下がりになるまで風向調整羽根３１を回動させる。
【００７７】
次に、制御部４０は、コアンダ羽根３２の外側面３２ａが略水平になる位置までコアンダ羽根３２を回動させる。なお、本願実施形態のようにコアンダ羽根３２の外側面３２ａが円弧曲面をなしている場合は、外側面３２ａの外側湾曲面３２ａａの前方端Ｅ２における接線Ｌ２が略水平になるまでコアンダ羽根３２を回動させる。つまり、図５Ａに示すように、接線Ｌ０と接線Ｌ２とが成す内角Ｒ２は、接線Ｌ０と接線Ｌ１とが成す内角Ｒ１よりも大きくなる。
【００７８】
風向調整羽根３１で前方下吹きに調整された吹出空気は、コアンダ効果によってコアンダ羽根３２の外側面３２ａに付着した流れとなり、この外側面３２ａに沿ったコアンダ気流に変わる。
【００７９】
したがって、風向調整羽根３１の内側湾曲面３１ｂｂの前方端Ｅ１における接線Ｌ１方向が前方下吹きであっても、コアンダ羽根３２の外側湾曲面３２ａａの前方端Ｅ２における接線Ｌ２方向が水平であるので、吹出空気は、コアンダ効果によってコアンダ羽根３２の外側湾曲面３２ａａの前方端Ｅ２における接線Ｌ２方向、すなわち水平方向に吹き出される。
【００８０】
このように、コアンダ羽根３２が本体ケーシング１１の前面部から離れて傾斜が緩やかになり、吹出空気が前面パネル１１ｂよりも前方でコアンダ効果を受け易くなる。その結果、風向調整羽根３１で風向調節された吹出空気が前方下吹きであっても、コアンダ効果によって水平吹きの空気となる。
【００８１】
（３−２−２）コアンダ気流天井吹き
図３Ｄは、コアンダ気流天井吹き時の風向調整羽根３１及びコアンダ羽根３２の側面図である。図３Ｄにおいて、「コアンダ気流天井吹き」が選択されたとき、制御部４０は風向調整羽根３１の内側湾曲面３１ｂｂの前方端Ｅ１における接線Ｌ１が水平になるまで風向調整羽根３１を回動させる。
【００８２】
次に、制御部４０は、外側面３２ａの外側湾曲面３２ａａの前方端Ｅ２における接線Ｌ２が前方上向きとなるまでコアンダ羽根３２を回動させる。つまり、図５Ｂに示すように、接線Ｌ０と接線Ｌ２とが成す内角Ｒ２は、接線Ｌ０と接線Ｌ１とが成す内角Ｒ１よりも大きくなる。風向調整羽根３１で水平吹きに調整された吹出空気は、コアンダ効果によってコアンダ羽根３２の外側面３２ａに付着した流れとなり、この外側面３２ａに沿ったコアンダ気流に変わる。
【００８３】
したがって、風向調整羽根３１の内側湾曲面３１ｂｂの前方端Ｅ１における接線Ｌ１方向が前方吹きであっても、コアンダ羽根３２の外側湾曲面３２ａａの前方端Ｅ２における接線Ｌ２方向が前方上吹きであるので、吹出空気は、コアンダ効果によってコアンダ羽根３２の外側湾曲面３２ａａの前方端Ｅ２における接線Ｌ２方向、すなわち天井方向に吹き出される。コアンダ羽根３２の先端部は吹出口１５より外側に突出しているので、コアンダ気流はより遠方に到達する。さらに、コアンダ羽根３２の先端部は吹出口１５よりも上方に位置しているので、コアンダ羽根３２の内側面３２ｂ上を通過する強い気流の発生は抑制され、コアンダ気流の上方への誘導が阻害されにくい。
【００８４】
このように、コアンダ羽根３２が本体ケーシング１１の前面部から離れて傾斜が緩やかになり、吹出空気が前面パネル１１ｂよりも前方でコアンダ効果を受け易くなる。その結果、風向調整羽根３１で風向調節された吹出空気が前方吹きであっても、コアンダ効果によって上向きの空気となる。
【００８５】
なお、コアンダ羽根３２の長手方向の寸法は、風向調整羽根３１の長手方向の寸法以上である。それゆえ、風向調整羽根３１で風向調節された吹出空気すべてをコアンダ羽根３２で受けることができ、コアンダ羽根３２の側方から吹出空気がショートサーキットすることが防止されるという効果も奏している。
【００８６】
（３−３）通常下吹きモード
図３Ｆは、下吹き時の風向調整羽根３１及びコアンダ羽根３２の側面図である。図３Ｆにおいて、「下吹き」が選択されたとき、制御部４０は風向調整羽根３１の内側湾曲面３１ｂｂの前方端Ｅ１における接線が下向きなるまで風向調整羽根３１を回動させる。
【００８７】
次に、制御部４０は、外側湾曲面３２ａａの前方端Ｅ２における接線が下向きとなるまでコアンダ羽根３２を回動させる。その結果、吹出空気は、風向調整羽根３１とコアンダ羽根３２との間を通過し、下向きに吹き出される。
【００８８】
特に、風向調整羽根３１がスクロール１７の終端部の接線角度より下向きになったときでも、制御部４０が下吹きモードを実行することによって、コアンダ羽根３２の外側面３２ａに当てて下向きの気流を生成することができる。
【００８９】
（４）動作
上記のような吹出空気の方向制御を利用した空調室内機の動作について、以下、図面を参照しながら説明する。
【００９０】
（４−１）コアンダ風向設定
（４−１−１）コアンダ羽根３２の第１姿勢
図６Ａは、コアンダ羽根３２が第１姿勢をとるときのコアンダ気流の風向を示す空調室内機設置空間の側面図である。図６Ａにおいて、空調室内機１０は室内側壁の上方に設置されている。コアンダ羽根３２は、収容部１３０に収納されている状態（以後、第１姿勢とよぶ）である。コアンダ羽根３２が第１姿勢のときに風向調整羽根３１の姿勢を水平よりも上向きにすることによって、風向調整羽根３１の内側面３１ｂで風向調整された吹出空気がその内側面３１ｂを離れた後、コアンダ羽根３２の外側面３２ａに引っ張られるように方向を変え、第１コアンダ気流となってコアンダ羽根３２の外側面３２ａおよび前面パネル１１ｂに沿うように流れる。
【００９１】
ここで、ユーザーがコアンダ気流を選択する方法について説明する。図７Ａは、制御部４０とリモコン５０との関係を示すブロック図である。図７Ａにおいて、リモコン５０は赤外線信号を無線で送信する。リモコン５０には、風向を切り換えるための切換手段を有している。具体的には、ユーザーが風向を選択できるように、風向選択メニューを表示する表示部５２と、各風向選択メニューを指定するためのカーソル５２ａを有している。
【００９２】
先ず、ユーザーは、表示部５２に表示されたメニューの中から「コアンダ風向設定」をカーソル５２ａで選択する。なお、リモコン５０によるメニューの選択および確定するための技術は広く公開されているので詳細な説明は省略する。
【００９３】
図７Ｂは、「コアンダ風向設定」メニューの下位メニューを表した表示部５２の正面図である。図７Ｂにおいて、「コアンダ風向設定」メニューの下位メニューには、第１〜第５コアンダ角度が予め準備されており、カーソル５２ａで第１コアンダ角度を指定して確定することによって、コアンダ羽根３２は図６Ａに示す第１姿勢をとり、第１コアンダ角度に応じた第１の向きのコアンダ気流が発生する。
【００９４】
（４−１−２）コアンダ羽根３２の第２姿勢および第３姿勢
次に、図６Ｂは、コアンダ羽根３２が第２姿勢をとるときのコアンダ気流の風向を示す空調室内機設置空間の側面図である。図６Ｂにおけるコアンダ羽根３２の第２姿勢は、図７Ｂにおいてカーソル５２ａで第２コアンダ角度を指定し確定することによって成し得る。コアンダ羽根３２が第２姿勢のときに発生するコアンダ気流は、「（３−２−２）コアンダ気流天井吹き」の段で説明したコアンダ気流に相当する。第２コアンダ角度が選択されたとき、図３Ｄに示すように、制御部４０は風向調整羽根３１の内側湾曲面３１ｂｂの前方端Ｅ１における接線Ｌ１が水平になるまで風向調整羽根３１を回動させ、次に、外側面３２ａの外側湾曲面３２ａａの前方端Ｅ２における接線Ｌ２が前方上向きとなるまでコアンダ羽根３２を回動させる。したがって、風向調整羽根３１の内側湾曲面３１ｂｂの前方端Ｅ１における接線Ｌ１方向が前方吹きであっても、コアンダ羽根３２の外側湾曲面３２ａａの前方端Ｅ２における接線Ｌ２方向が前方上吹きであるので、吹出空気は、コアンダ効果によってコアンダ羽根３２の外側湾曲面３２ａａの前方端Ｅ２における接線Ｌ２方向、すなわち天井方向に吹き出される。
【００９５】
なお、一旦、コアンダ気流が発生すると、風向調整羽根３１を動かさずにコアンダ羽根３２の角度のみを変動させてコアンダ気流の風向を調整することができる。例えば、図８Ａは、コアンダ羽根３２が第３姿勢のときの風向調整羽根３１とコアンダ羽根３２の側面図である。図８Ａにおいて、コアンダ羽根３２の第３姿勢は第２姿勢よりも下向きである。なお、図８Ａでは、比較のために第２姿勢のコアンダ羽根３２を２点鎖線で、第３姿勢のコアンダ羽根３２を実線で描いている。
【００９６】
第２姿勢でコアンダ気流が確実に発生し、且つ、風向調整羽根３１の姿勢が変わらないとすれば、第２姿勢よりも下向きである第３姿勢でコアンダ気流がコアンダ羽根３２の外側面３２ａから剥離しないことは明らかである。このように、コアンダ気流天井吹きを実施したいときは、図７Ｂにおいてカーソル５２ａで第２コアンダ角度、若しくは第３コアンダ角度を選択することによって成し得る。
【００９７】
本実施形態では、コアンダ羽根３２の第２姿勢および第３姿勢は、調和空気を遠方に飛ばしたいときに選択されることを想定している。例えば、吹出口１５から天井までの高さ距離、および吹出口１５からその対面壁までの対面距離がともに大きい場合は、コアンダ羽根３２の姿勢は第２姿勢が好ましい。他方、吹出口１５から天井までの高さ距離は小さいが、吹出口１５からその対面壁までの対面距離が大きい場合などはコアンダ羽根３２の姿勢は第３姿勢が好ましい。このようにユーザーは、リモコン５０を介して室内空間の大きさに応じてコアンダ羽根３２の姿勢を選択することができるので、使い勝手がよい上に、調和空気を空調対象空間に均一に行き渡らせることが可能となる。
【００９８】
（４−１−３）コアンダ羽根３２の第４姿勢および第５姿勢
さらに、図６Ｃは、コアンダ羽根３２が第４姿勢をとるときのコアンダ気流の風向を示す空調室内機設置空間の側面図である。図６Ｃにおけるコアンダ羽根３２の第４姿勢は、図７Ｂにおいてカーソル５２ａで第４コアンダ角度を指定し確定することによって成し得る。コアンダ羽根３２が第４姿勢のときに発生するコアンダ気流は、「（３−２−１）コアンダ気流前方吹き」の段で説明したコアンダ気流に相当する。第４コアンダ角度が選択されたとき、図３Ｃに示すように、制御部４０は、風向調整羽根３１の内側湾曲面３１ｂｂの前方端Ｅ１における接線Ｌ１が水平よりも前下がりになるまで風向調整羽根３１を回動させ、次に、外側面３２ａの外側湾曲面３２ａａの前方端Ｅ２における接線Ｌ２が略水平になる位置までコアンダ羽根３２を回動させる。したがって、風向調整羽根３１の内側湾曲面３１ｂｂの前方端Ｅ１における接線Ｌ１方向が前方下吹きであっても、コアンダ羽根３２の外側湾曲面３２ａａの前方端Ｅ２における接線Ｌ２方向が水平であるので、吹出空気は、コアンダ効果によってコアンダ羽根３２の外側湾曲面３２ａａの前方端Ｅ２における接線Ｌ２方向、すなわち水平方向に吹き出される。
【００９９】
なお、一旦、コアンダ気流が発生すると、風向調整羽根３１を動かさずにコアンダ羽根３２の角度のみを変動させてコアンダ気流の風向を調整することができる。例えば、図８Ｂは、コアンダ羽根３２が第５姿勢のときの風向調整羽根３１とコアンダ羽根３２の側面図である。図８Ｂにおいて、コアンダ羽根３２の第５姿勢は第４姿勢よりも下向きである。なお、図８Ｂでは、比較のために第４姿勢のコアンダ羽根３２を２点鎖線で、第５姿勢のコアンダ羽根３２を実線で描いている。
【０１００】
第４姿勢でコアンダ気流が確実に発生し、且つ、風向調整羽根３１の姿勢が変わらないとすれば、第４姿勢よりも下向きである第５姿勢でコアンダ気流がコアンダ羽根３２の外側面３２ａから剥離しないことは明らかである。このように、コアンダ気流前方吹きを実施したいときは、図７Ｂにおいてカーソル５２ａで第４コアンダ角度、若しくは第５コアンダ角度を選択することによって成し得る。
【０１０１】
なお、上記の説明で明らかなように、コアンダ羽根３２の第１姿勢、第２姿勢および第４姿勢それぞれに対して風向調整羽根３１の姿勢が異なる。言い換えると、コアンダ羽根３２によるコアンダ気流は、風向調整羽根３１の姿勢とコアンダ羽根３２の姿勢との組み合わせによって如何なる方向にも仕向けることができる。
【０１０２】
（５）コアンダ羽根３２の第２外側湾曲面３２ａｂの作用と効果
図９Ａは、外側面３２ａの両端部が隆起していないコアンダ羽根３２の斜視図である。図９Ｂは、外側面３２ａの両端部が隆起しているコアンダ羽根３２の斜視図である。
【０１０３】
図９Ａにおいて、コアンダ気流Ｓｔｃの発生と同時にその動圧によってコアンダ羽根３２と風向調整羽根３１との間の気圧が、コアンダ羽根３２の側方のよりも低くなり、コアンダ羽根３２の側方の空気がコアンダ羽根３２の両端部に引き込まれる。それゆえ、コアンダ気流Ｓｔｃは、側方からの空気流Ｓｔａに押されて中央部に集中する。その結果、図１０Ａに示すように、コアンダ気流Ｓｔｃが部屋１００内を循環する軌道が狭くなり、部屋全体を暖房する効果が薄れる。
【０１０４】
他方、図９Ｂにおいて、コアンダ羽根３２の外側面３２ａの第２外側湾曲面３２ａｂは、第１外側湾曲面３２ａａよりも風向調整羽根３１の内側面３１ｂに近い。それゆえ、コアンダ羽根３２両端部の第２外側湾曲面３２ａｂは、中央部の第１外側湾曲面３２ａａよりも先にコアンダ気流を生じさせることができる。第２外側湾曲面３２ａｂに沿ったコアンダ気流は、側方からの空気流Ｓｔａに押されても中央部寄りの気流になり難い安定したコアンダ気流となる。その結果、図１０Ｂに示すように、コアンダ気流Ｓｔｃが部屋１００内を広く循環するようになり、部屋全体を暖房する効果が高まる。
【０１０５】
なお、「コアンダ羽根３２の外側面３２ａの第２外側湾曲面３２ａｂが、第１外側湾曲面３２ａａよりも風向調整羽根３１の内側面３１ｂに近い」とは、風向調整羽根３１の内側面３１ｂに対する位置（相対位置）が近いことであるが、本実施形態のような風向調整羽根３１の内側面３１ｂとコアンダ羽根３２の外側面３２ａとが平行ではない場合は、図４Ｂで説明した風向調整羽根３１とコアンダ羽根３２との開き角度（相対角度）の大小で定義してもよい。
【０１０６】
図１１は、コアンダ羽根３２の外側面３２ａの第１外側湾曲面３２ａａおよび第２外側湾曲面３２ａｂそれぞれと風向調整羽根３１の内側面３１ｂとの相対角度の一例を表す概念図である。図１１において、風向調整羽根３１の内側面３１ｂの最遠点同士を結ぶ直線と水平線との角度を風向調整羽根３１の傾斜角θ１とする。
【０１０７】
そして、コアンダ羽根３２の第１外側湾曲面３２ａａの最遠点同士を結ぶ直線と水平線との角度をコアンダ羽根３２の傾斜角θａ２としたとき、風向調整羽根３１の内側面３１ｂとコアンダ羽根３２の第１外側湾曲面３２ａａとの相対角度（開き角度）θａ＝θａ２−θ１である。
【０１０８】
また、コアンダ羽根３２の第２外側湾曲面３２ａｂの最遠点同士を結ぶ直線と水平線との角度をコアンダ羽根３２の傾斜角θｂ２としたとき、風向調整羽根３１の内側面３１ｂとコアンダ羽根３２の第２外側湾曲面３２ａｂとの相対角度（開き角度）θｂ＝θｂ２−θ１である。
【０１０９】
つまり、「コアンダ羽根３２の外側面３２ａの第２外側湾曲面３２ａｂが第１外側湾曲面３２ａａよりも風向調整羽根３１の内側面３１ｂに近い」とは、θａ＞θｂという意味である。なお、θ１、θａ２及びθｂ２は絶対値ではなく、図１１正面視において水平線よりも下方となる場合は負の値である。
【０１１０】
（６）特徴
（６−１）
空調室内機１０では、コアンダ羽根３２の外側面３２ａの第１外側湾曲面３２ａａを両側から挟むように、第２外側湾曲面３２ａｂがコアンダ羽根３２の両端部に位置する。第２外側湾曲面３２ａｂは、第１外側湾曲面３２ａａよりも風向調整羽根３１の内側面３１ｂに近い。
【０１１１】
具体的には、風向調整羽根３１の内側面３１ｂとコアンダ羽根３２の第２外側湾曲面３２ａｂとの相対角度θｂが、風向調整羽根３１の内側面３１ｂとコアンダ羽根３２の第１外側湾曲面３２ａａとの相対角度θａよりも小さいという意味である。
【０１１２】
その結果、コアンダ羽根３２の中央部よりも先に両端部にコアンダ気流を生じさせることができ、側方からの空気に押されても中央部寄りの気流になり難い安定したコアンダ気流となる。
【０１１３】
（６−２）
空調室内機１０では、コアンダ羽根３２の外側面３２ａの第１外側湾曲面３２ａａと第２外側湾曲面３２ａｂとの境界域が、吹出口１５の両端の間に、即ち、側壁１１３，１１４それぞれの前縁の間に位置する（図９Ａ及び図９Ｂ参照）。風向調整羽根３１の内側面３１ｂで風向調整された吹出空気が、確実にコアンダ羽根３２の第１外側湾曲面３２ａａ、および第１外側湾曲面３２ａａと第２外側湾曲面３２ａｂとの境界域を通る。それゆえ、コアンダ羽根３２の第１外側湾曲面３２ａａよりも先に境界域にコアンダ気流を生じさせることができ、中央部寄りの気流になり難い安定したコアンダ気流となる。
【０１１４】
（７）変形例
上記実施形態では、コアンダ羽根３２の外側面３２ａの両端部を隆起させたが、これに限定されるものではない。例えば、風向調整羽根３１の内側面３１ｂの両端部を隆起させてもよい。
【０１１５】
図１２は、内側面３１ｂの両端部が隆起している風向調整羽根３１の斜視図である。図１２において、風向調整羽根３１は、断面形状が円弧状の部材である。風向調整羽根３１は、凸状の外側湾曲面を含む外側面３１ａと、凹状の内側湾曲面を含む内側面３１ｂを有している。
【０１１６】
また、内側面３１ｂの長手方向の端部は隆起しており、その隆起は後部から前部に向って徐々に高くなっている。つまり、内側面３１ｂは、隆起した部分に挟まれた湾曲面と、隆起した部分の湾曲面とを有しており、前者を第１内側湾曲面３１ｂｂとよび、後者を第２内側湾曲面３２ｂｃとよぶ。
【０１１７】
風向調整羽根３１の内側面３１ｂの第２内側湾曲面３１ｂｃは、第１内側湾曲面３１ｂｂよりもコアンダ羽根３２の外側面３２ａに近い。それゆえ、コアンダ羽根３２の両端部には、中央部よりも先にコアンダ気流が生じる。さらに、コアンダ気流は、風向調整羽根３１に近いほど安定するので、第２内側湾曲面３１ｂｃに近いコアンダ羽根３２両端部に生じるコアンダ気流は、側方からの空気流に押されても中央部寄りの気流になり難い。その結果、図１０Ｂに示すように、コアンダ気流Ｓｔｃが部屋１００内を広く循環するようになり、部屋全体を暖房する効果が高まる。
【０１１８】
なお、風向調整羽根３１の外側面３１ａでは、長手方向の両端部に内側面３１ｂの隆起に対応して窪みができる。しかし、その窪みを覆うように外側面３１ａの湾曲面が延長されており、外側面３１ａは一様な湾曲面である。それゆえ、風向調整羽根３１が吹出口１５を閉じているとき、外側面３１ａが人目に触れるが、一様な湾曲面であるので見栄えがよい。
【０１１９】
なお、「風向調整羽根３１の第２内側湾曲面３１ｂｃが、第１内側湾曲面３１ｂｂよりもコアンダ羽根３２の外側面３２ａに近い」とは、コアンダ羽根３２の外側面３２ａに対する位置（相対位置）が近いことであるが、風向調整羽根３１の内側面３１ｂとコアンダ羽根３２の外側面３２ａとが平行ではない場合は、図１１で説明した風向調整羽根３１とコアンダ羽根３２との開き角度（相対角度）の大小で定義してもよい。
【０１２０】
図１３は、風向調整羽根３１の内側面３１ｂの第１内側湾曲面３２ｂｂおよび第２内側湾曲面３１ｂｃそれぞれとコアンダ羽根３２の外側面３２ａとの相対角度の一例を表す概念図である。図１３において、コアンダ羽根３２の外側湾曲面３２ａａの最遠点同士を結ぶ直線と水平線との角度をコアンダ羽根３２の傾斜角θ２とする。
【０１２１】
そして、風向調整羽根３１の第１内側湾曲面３１ｂｂの最遠点同士を結ぶ直線と水平線との角度を風向調整羽根３１の傾斜角θａ１とし、風向調整羽根３１の第２内側湾曲面３１ｂｃの最遠点同士を結ぶ直線と水平線との角度を風向調整羽根３１の傾斜角θｂ１としたとき、風向調整羽根３１の第１内側湾曲面３１ｂｂとコアンダ羽根３２の外側湾曲面３２ａａとの相対角度（開き角度）θａ＝θ２−θａ１である。
【０１２２】
また、風向調整羽根３１の第２内側湾曲面３１ｂｃとコアンダ羽根３２の外側湾曲面３２ａａとの相対角度（開き角度）θｂ＝θ２−θｂ１である。
【０１２３】
つまり、風向調整羽根３１の第２内側湾曲面３１ｂｃが第１内側湾曲面３１ｂｂよりもコアンダ羽根３２の外側面３２ａに近い」とは、θａ＞θｂという意味である。なお、θａ１、θｂ１及びθ２は絶対値ではなく、図１３正面視において水平線よりも下方となる場合は負の値である。
【０１２４】
以上のように、変形例に係る空調室内機１０では、コアンダ羽根３２の中央部よりも先に両端部にコアンダ気流を生じさせることができ、側方からの空気に押されても中央部寄りの気流になり難い安定したコアンダ気流となる。
【０１２５】
また、風向調整羽根３１の外側面３１ａは、平面、又は吹出空気の上流側から下流側に向って湾曲する湾曲面である。風向調整羽根３１の外側面３１ａは、吹出口１５を閉じているときに人目に触れる面が、平面または一様な湾曲面であるので見栄えがよい。
【０１２６】
さらに、空調室内機１０では、風向調整羽根３１の内側面３１ｂの第１内側湾曲面３１ｂｂと第２内側湾曲面３１ｂｃとの境界域が、吹出口１５の両端の間に、即ち、側壁１１３，１１４それぞれの前縁の間に位置する（図１２参照）。風向調整羽根３１の内側面３１ｂで風向調整された吹出空気が、確実に風向調整羽根３１の第１内側湾曲面３１ｂｂ、および第１内側湾曲面３１ｂｂと第２内側湾曲面３１ｂｃとの境界域を通る。それゆえ、コアンダ羽根３２の外側湾曲面３２ａａの中央部よりも先に両端部側にコアンダ気流を生じさせることができ、中央部寄りの気流になり難い安定したコアンダ気流となる。
【産業上の利用可能性】
【０１２７】
本発明は、壁掛け式空調室内機に有用である。
【符号の説明】
【０１２８】
１０  空調室内機
１５  吹出口
３１  風向調整羽根
３１ｂ  内側面（対向面）
３２  コアンダ羽根
３２ａ  外側面（湾曲面）
【先行技術文献】
【特許文献】
【０１２９】
【特許文献１】特開２００２−６１９３８号公報
【図１】
0005783041.tif 000002
【図２Ａ】
0005783041.tif 000003
【図２Ｂ】
0005783041.tif 000004
【図２Ｃ】
0005783041.tif 000005
【図３Ａ】
0005783041.tif 000006
【図３Ｂ】
0005783041.tif 000007
【図３Ｃ】
0005783041.tif 000008
【図３Ｄ】
0005783041.tif 000009
【図３Ｅ】
0005783041.tif 000010
【図４Ａ】
0005783041.tif 000011
【図４Ｂ】
0005783041.tif 000012
【図５Ａ】
0005783041.tif 000013
【図５Ｂ】
0005783041.tif 000014
【図６Ａ】
0005783041.tif 000015
【図６Ｂ】
0005783041.tif 000016
【図６Ｃ】
0005783041.tif 000017
【図７Ａ】
0005783041.tif 000018
【図７Ｂ】
0005783041.tif 000019
【図８Ａ】
0005783041.tif 000020
【図８Ｂ】
0005783041.tif 000021
【図９Ａ】
0005783041.tif 000022
【図９Ｂ】
0005783041.tif 000023
【図１０Ａ】
0005783041.tif 000024
【図１０Ｂ】
0005783041.tif 000025
【図１１】
0005783041.tif 000026
【図１２】
0005783041.tif 000027
【図１３】
0005783041.tif 000028